(57)【要約】      （修正有）【課題】印刷物であるグリーティングカードを手にしたときの受信者に驚きを与える。【解決手段】プリンタ５０で印刷する画像である印刷用画像を移動体端末４０に送信する画像送信方法であって、印刷用画像、および、移動体端末４０で表示する表示用画像であって印刷用画像を縮小した表示用画像とは異なる絵柄の定形表示用画像を画像格納部１００に格納する画像格納手順と、移動体端末４０に表示用画像、および、印刷用画像を送信する画像送信手順とを備え、画像送信手順は、移動体端末４０に印刷用画像を送信する前に、定形表示用画像を送信し、定形表示用画像を送信した後に移動体端末４０からアクセスがあった場合に、印刷用画像を送信する。【選択図】図２
2008288979.tif 000002
【特許請求の範囲】
【請求項１】
印刷装置で印刷する画像である印刷用画像を移動体端末に送信する画像送信方法であって、
前記印刷用画像、および、前記移動体端末で表示する表示用画像であって前記印刷用画像を縮小した前記表示用画像とは異なる絵柄の定形表示用画像を画像格納部に格納する画像格納手順と、
前記移動体端末に前記表示用画像、および、前記印刷用画像を送信する画像送信手順と
を備え、
前記画像送信手順は、前記移動体端末に前記印刷用画像を送信する前に、前記定形表示用画像を送信し、前記定形表示用画像を送信した後に前記移動体端末からアクセスがあった場合に、前記印刷用画像を送信する画像送信方法。
【請求項２】
前記画像格納部に格納された一の印刷用画像を要求するリンク情報を含んだ印刷用画像要求画面を画面格納部に格納する画面格納手順と、
前記印刷用画像要求画面へのリンク情報を含んだ前記電子メールを前記移動体端末に送信する電子メール送信手順と
をさらに備え、
前記画像送信手順は、電子メール送信手順が前記電子メールを送信した前記移動体端末から前記電子メールの前記リンク情報を介してアクセスがあった場合に、前記移動体端末に前記印刷用画像要求画面に対応付けて前記定形表示用画像を送信し、前記印刷用画像要求画面のリンク情報を介してアクセスがあった場合に、前記一の印刷用画像を前記移動体端末に送信する請求項１に記載の画像送信方法。
【請求項３】
送信すべき印刷用画像を指定する印刷用画像指定情報を、前記印刷用画像の送信先である一の移動体端末と異なる他の移動体端末から受信する指定受付手順をさらに備え、
前記電子メール送信手順は、前記印刷用画像要求画面へのリンク情報を含んだ電子メールであって、宛先として前記一の移動体端末を指定した電子メールを前記他の移動体端末から受信し、前記他の移動体端末から受信した前記電子メールを前記一の移動体端末に送信し、
前記画像送信手順は、電子メール送信手順が前記電子メールを送信した前記一の移動体端末から前記リンク情報を介してアクセスがあった場合に、前記一の移動体端末に前記印刷用画像要求画面に対応付けて前記定形表示用画像を送信し、前記印刷用画像要求画面のリンク情報を介してアクセスがあった場合に、前記印刷用画像指定情報において指定された前記印刷用画像を前記一の移動体端末に送信する請求項２に記載の画像送信方法。
【請求項４】
前記画面手順は、送信すべき印刷用画像を指定する入力を受け付ける指定受付画面を画面格納部にさらに格納し、
前記指定受信手順は、前記他の移動体端末から前記指定受付画面が要求された場合に、前記他の移動体端末に前記指定受付画面を送信し、前記指定受付画面を介して前記他の移動体端末から前記印刷用画像指定情報を受信し、
前記画像送信手順は、前記他の移動体端末から前記指定受付画面が要求された場合に、前記画像格納部に格納された印刷用画像を縮小した前記表示用画像を前記指定受付画面に対応付けて前記他の移動体端末に送信する請求項３に記載の画像格納方法。
【請求項５】
前記印刷用画像指定情報において指定された前記印刷用画像の印刷が完了した旨を示す印刷完了通知を、前記他の移動体端末に通知する印刷完了通知手順をさらに備え、
前記画像送信手順は、さらに、前記一の移動体端末から前記印刷用画像の印刷が完了した旨を示す情報を受信し、
前記印刷完了通知手順は、前記画像送信手順が前記一の移動体端末から前記印刷が完了した旨を示す情報を受信した場合に、前記他の移動体端末に前記印刷完了通知を送信する請求項３に記載の画像格納方法。
【請求項６】
前記画像格納部は、図柄の異なる複数の前記定形表示用画像を格納し、
前記指定受信手順は、前記他の移動体端末から前記画像格納部に格納された定形表示用画像を指定する定形表示用画像指定情報をさらに受信し、
前記画像送信手順は、前記定形表示用画像指定情報において指定された定形表示用画像を前記一の移動体端末に送信する請求項３に記載の画像格納方法。
【請求項７】
前記画像送信手順は、さらに、前記一の移動体端末から前記印刷用画像の印刷が完了した旨を示す情報を受信し、
前記画像送信手順は、前記一の移動体端末から一の印刷用画像の印刷が完了した旨を示す情報を受信した場合に、当該一の印刷用画像を縮小した前記表示用画像を前記一の移動体端末に送信する請求項１に記載の画像格納方法。
【請求項８】
前記画像格納部に格納された一の印刷用画像を要求するリンク情報を含んだ前記電子メールを前記移動体端末に送信する電子メール送信手順をさらに備え、
前記画像送信手順は、前記電子メールに対応付けて前記定形表示用画像を前記移動体端末に送信し、前記電子メール送信手順が前記電子メールを送信した前記移動体端末から前記電子メールの前記リンク情報を介してアクセスがあった場合に、前記一の印刷用画像を前記移動体端末に送信する請求項１に記載の画像送信方法。
【請求項９】
印刷装置で印刷する画像である印刷用画像を、前記印刷用画像を縮小した前記表示用画像とは異なる絵柄の定形表示用画像を格納する移動体端末に送信する画像送信方法であって、
前記印刷用画像を画像格納部に格納する画像格納手順と、
前記移動体端末に前記印刷用画像を送信する画像送信手順と
を備え、
前記画像送信手順は、前記移動体端末に前記印刷用画像を送信する前に、前記定形表示用画像の表示を命令する表示命令を送信し、前記表示命令を送信した後に前記移動体端末からアクセスがあった場合に、前記印刷用画像を送信する画像送信方法。
【請求項１０】
印刷装置で印刷する画像である印刷用画像を移動体端末に送信する画像送信サーバであって、
前記印刷用画像、および、前記移動体端末で表示する表示用画像であって前記印刷用画像を縮小した前記表示用画像とは異なる絵柄の定形表示用画像を格納する画像格納部と、
前記移動体端末に前記表示用画像、および、前記印刷用画像を送信する画像送信部と
を備え、
前記画像送信部は、前記移動体端末に前記印刷用画像を送信する前に、前記定形表示用画像を送信し、前記定形表示用画像を送信した後に前記移動体端末からアクセスがあった場合に、前記印刷用画像を送信する画像送信サーバ。
【請求項１１】
印刷装置で印刷する画像である印刷用画像を移動体端末に送信する画像送信サーバを制御するプログラムであって、前記画像送信サーバに、
前記印刷用画像、および、前記移動体端末で表示する表示用画像であって前記印刷用画像を縮小した前記表示用画像とは異なる絵柄の定形表示用画像を画像格納部に格納する画像格納手順、および、
前記移動体端末に前記表示用画像、および、前記印刷用画像を送信する画像送信手順
を実行させ、
前記画像送信手順は、前記移動体端末に前記印刷用画像を送信する前に、前記定形表示用画像を送信し、前記定形表示用画像を送信した後に前記移動体端末からアクセスがあった場合に、前記印刷用画像を送信するプログラム。
【発明の詳細な説明】
【技術分野】
【０００１】
本発明は、画像送信方法、画像送信サーバおよびプログラムに関する。特に、本発明は、印刷装置で印刷する画像である印刷用画像を移動体端末に送信する画像送信方法、画像送信サーバおよびプログラムに関する。
【背景技術】
【０００２】
専用のグリーティングカードを作成して配信する配信システムが知られている（例えば、特許文献１参照）。
【特許文献１】特開２００３−２４２５１６号公報
【発明の開示】
【発明が解決しようとする課題】
【０００３】
しかしながら、特許文献１に記載の配信システムなどにおいては、グリーティングカードの受信者に、受信者宛のグリーティングカードがある旨を、視覚的な方法などにより効果的に示すべきである。一方で、印刷用のグリーティングカードを受信させる場合、印刷用のグリーティングカードの絵柄が、印刷前に受信者側の表示画面に表示されると、印刷物であるグリーティングカードを手にしたときの受信者の驚きを半減させてしまうという課題がある。
【課題を解決するための手段】
【０００４】
上記課題を解決するために、本発明の第１の形態においては、印刷装置で印刷する画像である印刷用画像を移動体端末に送信する画像送信方法であって、印刷用画像、および、移動体端末で表示する表示用画像であって印刷用画像を縮小した表示用画像とは異なる絵柄の定形表示用画像を画像格納部に格納する画像格納手順と、移動体端末に表示用画像、および、印刷用画像を送信する画像送信手順とを備え、画像送信手順は、移動体端末に印刷用画像を送信する前に、定形表示用画像を送信し、定形表示用画像を送信した後に移動体端末からアクセスがあった場合に、印刷用画像を送信する。これにより、移動体端末の利用者に、定形表示画像により印刷用画像がある旨を示しつつ、印刷用画像の印刷後に、驚きを与えることができる。例えば、画像送信サーバの運営者が移動体端末の利用者にグリーティングカードを贈る場合に、印刷物であるグリーティングカードを手にする移動体端末の利用者に、驚きを与えることができる。
【０００５】
画像送信方法は、画像格納部に格納された一の印刷用画像を要求するリンク情報を含んだ印刷用画像要求画面を画面格納部に格納する画面格納手順と、印刷用画像要求画面へのリンク情報を含んだ電子メールを移動体端末に送信する電子メール送信手順とをさらに備え、画像送信手順は、電子メール送信手順が電子メールを送信した移動体端末から電子メールのリンク情報を介してアクセスがあった場合に、移動体端末に印刷用画像要求画面に対応付けて定形表示用画像を送信し、印刷用画像要求画面のリンク情報を介してアクセスがあった場合に、一の印刷用画像を移動体端末に送信してもよい。これにより、移動体端末の利用者に、印刷用画像がある旨をより明確に示すことができる。
【０００６】
画像送信方法は、送信すべき印刷用画像を指定する印刷用画像指定情報を、印刷用画像の送信先である一の移動体端末と異なる他の移動体端末から受信する指定受付手順をさらに備え、電子メール送信手順は、印刷用画像要求画面へのリンク情報を含んだ電子メールであって、宛先として一の移動体端末を指定した電子メールを他の移動体端末から受信し、他の移動体端末から受信した電子メールを一の移動体端末に送信し、画像送信手順は、電子メール送信手順が電子メールを送信した一の移動体端末からリンク情報を介してアクセスがあった場合に、一の移動体端末に印刷用画像要求画面に対応付けて定形表示用画像を送信し、印刷用画像要求画面のリンク情報を介してアクセスがあった場合に、印刷用画像指定情報において指定された印刷用画像を一の移動体端末に送信してもよい。これにより、移動体端末の利用者が、他の移動体端末の利用者に印刷用画像を贈る場合に、定形表示画像により印刷用画像がある旨を示しつつ、印刷用画像の印刷後に、驚きを与えることができる。
【０００７】
画像送信方法は、送信すべき印刷用画像を指定する入力を受け付ける指定受付画面を画面格納部にさらに格納し、指定受信手順は、他の移動体端末から指定受付画面が要求された場合に、他の移動体端末に指定受付画面を送信し、指定受付画面を介して他の移動体端末から印刷用画像指定情報を受信し、画像送信手順は、他の移動体端末から指定受付画面が要求された場合に、画像格納部に格納された印刷用画像を縮小した表示用画像を指定受付画面に対応付けて他の移動体端末に送信してもよい。これにより、移動体端末の利用者が、他の移動体端末の利用者に印刷用画像を贈る場合に、贈り主である移動体端末の利用者に贈る印刷用画像の内容を確認させることができる。
【０００８】
画像送信方法は、印刷用画像指定情報において指定された印刷用画像の印刷が完了した旨を示す印刷完了通知を、他の移動体端末に通知する印刷完了通知手順をさらに備え、画像送信手順は、さらに、一の移動体端末から印刷用画像の印刷が完了した旨を示す情報を受信し、印刷完了通知手順は、画像送信手順が一の移動体端末から印刷が完了した旨を示す情報を受信した場合に、他の移動体端末に印刷完了通知を送信してもよい。これにより、移動体端末の利用者が、他の移動体端末の利用者に印刷用画像を贈る場合に、贈り主である移動体端末の利用者に、他の移動体端末の利用者が当該印刷用画像を印刷した旨を通知することができる。したがって、贈り主である移動体端末の利用者に、贈った印刷用画像の図柄に関して他の移動体端末の利用者と会話すべきか否かの判断材料を提供することができる。
【０００９】
画像格納部は、図柄の異なる複数の定形表示用画像を格納し、指定受信手順は、他の移動体端末から画像格納部に格納された定形表示用画像を指定する定形表示用画像指定情報をさらに受信し、画像送信手順は、定形表示用画像指定情報において指定された定形表示用画像を一の移動体端末に送信してもよい。これにより、移動体端末の利用者が、他の移動体端末の利用者に印刷用画像を贈る場合に、贈り主である移動体端末の利用者に、好みの定形表示用画像を指定させることができる。
【００１０】
画像送信手順は、さらに、一の移動体端末から印刷用画像の印刷が完了した旨を示す情報を受信し、画像送信手順は、一の移動体端末から一の印刷用画像の印刷が完了した旨を示す情報を受信した場合に、当該一の印刷用画像を縮小した表示用画像を一の移動体端末に送信してもよい。これにより、印刷用画像を印刷した移動体端末の利用者が、印刷物である印刷用画像によらず、移動体端末に保存した表示用画像により、貰った印刷用画像の図柄を第三者に提示することができる。
【００１１】
画像送信方法は、画像格納部に格納された一の印刷用画像を要求するリンク情報を含んだ電子メールを移動体端末に送信する電子メール送信手順をさらに備え、画像送信手順は、電子メールに対応付けて定形表示用画像を移動体端末に送信し、電子メール送信手順が電子メールを送信した移動体端末から電子メールのリンク情報を介してアクセスがあった場合に、一の印刷用画像を移動体端末に送信してもよい。これにより、印刷用画像を印刷するまでのステップ数を減らし、移動体端末の利用者に、定形表示画像により印刷用画像がある旨を示しつつ、印刷用画像の印刷後に、驚きを与えることができる。
【００１２】
上記課題を解決するために、本発明の第２の形態においては、印刷装置で印刷する画像である印刷用画像を、印刷用画像を縮小した表示用画像とは異なる絵柄の定形表示用画像を格納する移動体端末に送信する画像送信方法であって、印刷用画像を画像格納部に格納する画像格納手順と、移動体端末に印刷用画像を送信する画像送信手順とを備え、画像送信手順は、移動体端末に印刷用画像を送信する前に、定形表示用画像の表示を命令する表示命令を送信し、表示命令を送信した後に移動体端末からアクセスがあった場合に、印刷用画像を送信する。これにより、第１の形態と同一の効果を得ることができる。
【００１３】
上記課題を解決するために、本発明の第３の形態においては、印刷装置で印刷する画像である印刷用画像を移動体端末に送信する画像送信サーバであって、印刷用画像、および、移動体端末で表示する表示用画像であって印刷用画像を縮小した表示用画像とは異なる絵柄の定形表示用画像を格納する画像格納部と、移動体端末に表示用画像、および、印刷用画像を送信する画像送信部とを備え、画像送信部は、移動体端末に印刷用画像を送信する前に、定形表示用画像を送信し、定形表示用画像を送信した後に移動体端末からアクセスがあった場合に、印刷用画像を送信する。これにより、第１の形態と同一の効果を得ることができる。
【００１４】
上記課題を解決するために、本発明の第４の形態においては、印刷装置で印刷する画像である印刷用画像を移動体端末に送信する画像送信サーバを制御するプログラムであって、画像送信サーバに、印刷用画像、および、移動体端末で表示する表示用画像であって印刷用画像を縮小した表示用画像とは異なる絵柄の定形表示用画像を画像格納部に格納する画像格納手順、および、移動体端末に表示用画像、および、印刷用画像を送信する画像送信手順を実行させ、画像送信手順は、移動体端末に印刷用画像を送信する前に、定形表示用画像を送信し、定形表示用画像を送信した後に移動体端末からアクセスがあった場合に、印刷用画像を送信する。これにより、第１の形態と同一の効果を得ることができる。
【００１５】
なお、上記の発明の概要は、本発明の必要な特徴の全てを列挙したものではなく、これらの特徴群のサブコンビネーションもまた、発明となりうる。
【発明を実施するための最良の形態】
【００１６】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１７】
図１は、画像送信システム１０の一例を示す。画像送信システム１０は、画像送信サーバ２０、指定側移動体端末３０、印刷側移動体端末４０およびメールサーバ６０を備える。画像送信サーバ２０は、例えば、インターネット上に設置される。画像送信サーバ２０は、印刷装置で印刷する画像（以下「印刷用画像」という。）、および、移動体端末において表示される画像（以下、「表示用画像」という。）を格納する。印刷用画像の一例は、グリーティングカードとして印刷される画像である。表示用画像は、印刷用画像を縮小した画像（以下「印刷用画像サムネイル」という。）と、印刷用画像サムネイルとは異なる所定の絵柄の定形表示用画像とがある。
【００１８】
指定側移動体端末３０は、ディスプレイ３４および操作パネル３６を備える。指定側移動体端末３０は、例えば、携帯電話であって、無線アクセスネットワークおよびコアネットワーク上のゲートウェイを介して画像送信サーバ２０にアクセスする。指定側移動体端末３０は、操作パネル３６を介して、他の移動体端末の指定、および、当該他の移動体端末が画像送信サーバ２０から受信する印刷用画像の指定を受け付ける。
【００１９】
印刷側移動体端末４０は、指定側移動体端末３０により指定された上記他の移動体端末の一例であって、ディスプレイ４４および操作パネル４６を備える。印刷側移動体端末４０は、例えば、携帯電話であって、無線アクセスネットワークおよびコアネットワーク上のゲートウェイを介して画像送信サーバ２０にアクセスする。印刷側移動体端末４０は、指定側移動体端末３０により指定された印刷用画像を画像送信サーバ２０から受信する。また、印刷側移動体端末４０は、上記印刷用画像を受信する前に、定形表示用画像を画像送信サーバ２０から受信する。印刷側移動体端末４０は、受信した定形表示用画像をディスプレイ４４に表示する一方、受信した印刷用画像を印刷装置の一例であるプリンタ５０で印刷する。なお、印刷側移動体端末４０は、近距離無線通信を介して、受信した印刷用画像をプリンタ５０に送信する。近距離無線通信の一例は、赤外線を利用するＩｒＤＡ（Ｉｎｆｒａｒｅｄ  Ｄａｔａ  Ａｓｓｏｃｉａｔｉｏｎ）、２．４５ＧＨｚ帯の電波を利用するブルートゥース（Ｂｌｕｅｔｏｏｔｈ）などである。なお、画像送信サーバは、メーラを備える。また、指定側移動体端末３０および印刷側移動体端末４０は、Ｗｅｂブラウザおよびメーラを備える。
【００２０】
メールサーバ６０は、画像送信サーバ２０、指定側移動体端末３０および印刷側移動体端末４０の間の電子メールを送受信する。プリンタ５０は、印刷側移動体端末４０から受信した印刷用画像を印刷用紙に印刷する。
【００２１】
図２は、画像送信サーバ２０等のブロック図の一例を示す。図３は、画像格納部１００に格納された情報の一例を示す。図４は、画面格納部１１０に格納された情報等の一例を示す。図２に示すように、画像送信サーバ２０は、画像格納部１００、画面格納部１１０、指定情報格納部１２０、課金情報格納部１３０、指定受付部１５０、画像送信部１６０および印刷完了通知部１７０を備える。メールサーバ６０は、電子メール送信部１８０を備える。
【００２２】
画像送信サーバ２０の画像格納部１００は、印刷用画像の格納場所に対応付けて、当該印刷用画像、当該印刷用画像の印刷用画像サムネイル、および、当該印刷用画像サムネイルの格納場所を格納している。図３（ａ）に示す例において、画像格納部１００は、印刷用画像の格納場所を特定するＵＲＩ（Ｕｎｉｆｏｒｍ  Ｒｅｓｏｕｒｃｅ  Ｉｄｅｎｔｉｆｉｅｒ）に対応付けて、当該印刷用画像、当該印刷用画像の印刷用画像サムネイル、当該印刷用画像の印刷用画像サムネイルの格納場所を特定するＵＲＩを格納する。ここで、印刷用画像は、プリンタ５０で復号可能に暗号化されているデータであることが好ましい。また、印刷用画像サムネイルは、当該印刷用画像サムネイルに対応付けられている印刷用画像を縮小した画像である。また、画像格納部１００は、定形表示用画像の格納場所に対応付けて、定形表示用画像を格納している。定型表示用画像は、上記印刷用画像サムネイルと同程度の大きさまたは画素数を有し、例えば、無地、「？」文字等の抽象的な画像である。図３（ｂ）に示す例において、画像格納部１００は、定形表示用画像の格納場所を特定するＵＲＩに対応付けて定形表示用画像を格納している。
【００２３】
画像送信サーバ２０の画面格納部１１０は、印刷側移動体端末４０に送信すべき印刷用画像を指定する入力を受け付けるＷｅｂ画面（以下、「指定受付画面」という。）、および、印刷用画像を要求するリンク情報を含んだＷｅｂ画面（以下、「印刷用画像要求画面」という。）を格納する。印刷用画像を要求するリンク情報の一例は、印刷用画像の格納場所を特定するＵＲＩである。画面格納部１１０は、例えば、図４（ａ）、図４（ｂ）に示す指定受付画面を格納し、図４（ｅ）に示す印刷用画像要求画面を格納する。
【００２４】
画像送信サーバ２０の指定受付部１５０は、指定側移動体端末３０から指定受付画面の要求を受け付ける。指定受付部１５０は、指定受付画面の要求を受け付けた場合に、画面格納部１１０に格納された指定受付画面を指定側移動体端末３０に送信する。指定受付部１５０は、指定受付画面を介して指定側移動体端末３０から、印刷側移動体端末４０に送信すべき印刷用画像を指定する印刷用画像指定情報、当該指定側移動体端末３０を識別する情報（以下、「移動体端末ＩＤ」という。）、および、当該印刷用画像を要求するリンク情報を含んだ印刷用画像要求画面のＵＲＩを受信する。なお、指定受付部１５０が受信する印刷用画像要求画面のＵＲＩは、指定側移動体端末、印刷側移動体端末および印刷用画像指定情報に応じて異なる。したがって、後述するように、画像送信部１６０は、印刷用画像要求画面のＵＲＩに応じて、異なる内容を割り付けた印刷用画像要求画面を印刷側移動体端末４０に送信することができる。
【００２５】
また、指定受付部１５０は、印刷用画像指定情報、指定側移動体端末３０の移動体端末ＩＤ、および、上記ＵＲＩに加えて、印刷側移動体端末４０の電子メールアドレスを受信する。そして指定受付部１５０は、印刷用画像要求画面のＵＲＩ、指定側移動体端末３０の移動体端末ＩＤ、印刷側移動体端末４０の移動体端末ＩＤ、および、印刷用画像指定情報を対応付けて指定情報格納部１２０に格納する。なお、画像送信サーバ２０は、移動体端末の利用者名、移動体端末の電子メールアドレス、当該移動体端末ＩＤ等を対応付けた非図示の対応表を格納している。また、移動体端末ＩＤ、例えば、ＭＳＩＳＤＮ（Ｍｏｂｉｌｅ  Ｓｕｂｓｃｒｉｂｅｒ  ＩＳＤＮ  Ｎｕｍｂｅｒ）、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）などでよい。
【００２６】
メールサーバ６０の電子メール送信部１８０は、指定受付部１５０において指定された印刷用画像を要求するリンク情報を含んだ印刷用画像要求画面へのリンク情報を含んだ電子メールであって、宛先として印刷側移動体端末４０を指定した電子メールを指定側移動体端末３０から受信し、受信した当該電子メールを印刷側移動体端末４０に送信する。印刷用画像要求画面へのリンク情報の一例は、印刷用画像要求画面のＵＲＩである。なお、指定側移動体端末３０のメーラで生成される電子メールの一例を図４（ｃ）に示し、印刷側移動体端末４０のメーラで表示される当該電子メールの一例を図４（ｄ）に示す。これにより、印刷側移動体端末４０の利用者に、定形表示画像により印刷用画像がある旨をより明確に示すことができる。例えば、指定側移動体端末３０の利用者が、印刷側移動体端末４０の利用者に印刷用画像を贈る場合に、印刷側移動体端末４０の利用者に、印刷用画像がある旨を示しつつ、印刷用画像の印刷後に、驚きを与えることができる。また、指定側移動体端末３０の利用者に、贈る印刷用画像の内容を確認させることができる。
【００２７】
画像送信サーバ２０の画像送信部１６０は、指定側移動体端末３０から指定受付画面の要求を受け付けた場合に、画像格納部１００に格納された印刷用画像の印刷用画像サムネイルを指定受付画面に対応付けて指定側移動体端末３０に送信する。
【００２８】
また、画像送信部１６０は、電子メール送信部１８０が、印刷側移動体端末４０に、指定受付部１５０において指定された印刷用画像を要求するリンク情報を含んだ印刷用画像要求画面へのリンク情報を含んだ電子メールを送信した後に、電子メールを受信した印刷側移動体端末４０から印刷用画像要求画面へのリンク情報を介して、印刷用画像要求画面の要求を受け付ける。画像送信部１６０は、上記印刷用画像要求画面の要求、すなわち印刷用画像要求画面のＵＲＩを受け付けた場合に、異なる内容を割り付けた印刷用画像要求画面を印刷側移動体端末４０に送信する。ここで画像送信部１６０は、上記印刷用画像要求画面に対応付けて定形表示用画像を印刷側移動体端末４０に送信する。
【００２９】
また、画像送信部１６０は、定形表示用画像を送信した印刷側移動体端末４０から、上記印刷用画像要求画面のリンク情報を介して、指定受付部１５０において指定された印刷用画像の要求を受け付ける。画像送信部１６０は、上記印刷用画像の要求を受け付けた場合に、上記印刷用画像を印刷側移動体端末４０に送信する。すなわち画像送信部１６０は、印刷側移動体端末４０に印刷用画像を送信する前に、定形表示用画像を送信し、定形表示用画像を送信した後に印刷側移動体端末４０からアクセスがあった場合に、印刷用画像を送信する。
【００３０】
さらに、画像送信部１６０は、印刷用画像の印刷がプリンタ５０により完了した旨を示す情報を印刷側移動体端末４０から受信する。画像送信部１６０は、印刷側移動体端末４０から印刷用画像の印刷が完了した旨を示す情報を受信した場合に、当該印刷用画像の印刷用画像サムネイルを印刷側移動体端末４０に送信してもよい。これにより、印刷用画像を印刷した印刷側移動体端末４０の利用者が、印刷物と同じ図柄である表示用画像を他の利用者に印刷側移動体端末４０上で見せることができる。
【００３１】
画像送信サーバ２０の印刷完了通知部１７０は、画像送信部１６０が印刷側移動体端末４０から印刷用画像の印刷が完了した旨を示す情報を受信した場合に、印刷用画像指定情報において指定された印刷用画像の印刷が完了した旨を示す印刷完了通知を指定側移動体端末３０に送信する。具体的には、印刷完了通知部１７０は、メールサーバ６０の電子メール送信部１８０を介して、電子メールにより、印刷完了通知を指定側移動体端末３０に送信する。これにより、指定側移動体端末３０の利用者が、印刷側移動体端末４０の利用者に印刷用画像を贈る場合に、指定側移動体端末３０の利用者に、印刷側移動体端末４０の利用者が当該印刷用画像を印刷した旨を通知することができる。したがって、指定側移動体端末３０の利用者に、贈った印刷用画像の図柄に関して印刷側移動体端末４０の利用者と会話すべきか否かの判断材料を提供することができる。
【００３２】
画像送信サーバ２０の課金情報格納部１３０は、指定受付部１５０が指定側移動体端末３０から印刷側移動体端末４０の移動体端末ＩＤ等を受信した場合、画像送信部１６０が印刷用画像を印刷側移動体端末４０に送信した場合、または、画像送信部１６０が、印刷用画像の印刷がプリンタ５０により完了した旨を示す情報を印刷側移動体端末４０から受信した場合に、指定側移動体端末３０の移動体端末ＩＤに対応付けて課金情報を記録する。
【００３３】
記憶媒体７０は、画像格納部１００、画面格納部１１０、指定情報格納部１２０、課金情報格納部１３０、指定受付部１５０、画像送信部１６０および印刷完了通知部１７０の動作を実行するアプリケーションソフトウェア（以下、「本画像処理ソフト」という。）を記憶する。画像送信サーバ２０は、記憶媒体７０に記憶された本画像処理ソフトをインストールすることにより、画像送信部１６０等の動作を行わせてもよい。さらに、他の方法として、画像送信サーバ２０は、本画像処理ソフトを、ネットワークを介して取得してもよい。
【００３４】
図５は、画像送信システム１０の動作の一例を示すフローチャートである。図６は、指定情報格納部１２０に格納された情報の一例を示す。本フローチャートは、指定側移動体端末３０の利用者が印刷側移動体端末４０の利用者に対してグリーディングガードを送信する例を説明する。本フローチャートは、指定側移動体端末３０が画像送信サーバ２０に指定受付画面を要求することにより開始する（Ｓ２００）。なお、本フローチャートの一番左側は、メールサーバ６０の動作を、左から二番目は指定側移動体端末３０の動作を、右から二番目は画像送信サーバ２０の動作を、一番右側は印刷側移動体端末４０の動作を示す。また、本フローチャートに開始時において、画像送信サーバ２０の画像格納部１００は、図３（ａ）（ｂ）に示す情報を格納しているものとする。また、本フローチャートに開始時において、画像送信サーバ２０の画面格納部１１０は、図４（ａ）、図４（ｂ）に示す指定受付画面を格納し、図４（ｅ）に示す印刷用画像要求画面を格納しているものとする。
【００３５】
まず、画像送信サーバ２０の指定受付部１５０は、指定側移動体端末３０からの指定受付画面の要求を受け付ける。指定受付部１５０は、画像格納部１００から印刷用画像の印刷用画像サムネイルを抽出し、図４（ａ）に示す、印刷用画像の印刷用画像サムネイルを表示した指定受付画面を指定側移動体端末３０に送信する（Ｓ４１０）。なお、図４（ａ）に示す指定受付画面において、各印刷用画像サムネイルに対応付けて各印刷用画像を特定するＵＲＩが設定されている。また、指定受付部１５０は、印刷用画像要求画面のＵＲＩに用いる番号「０１２３４５」を採番し、図４（ａ）に示す指定受付画面に対応付けて指定側移動体端末３０に送信する。
【００３６】
指定側移動体端末３０は、図４（ａ）に示す、印刷用画像の印刷用画像サムネイルを表示した指定受付画面をディスプレイ３４に表示する。指定側移動体端末３０は、図４（ａ）に示す指定受付画面において、操作パネル３６を介して印刷用画像の指定として、当該印刷用画像の印刷用画像サムネイルの選択を受け付ける（Ｓ２１５）。指定側移動体端末３０は、印刷用画像「ハッピーバースデー」の指定を受け付けたときは、図４（ｂ）に示す確認用の指定受付画面をディスプレイ３４に表示する。指定側移動体端末３０は、図４（ｂ）に示す指定受付画面において、リンク「カードを送る」のクリックを受け付ける。指定側移動体端末３０は、リンク「カードを送る」のクリックを受け付けた場合は、指定受付画面に対応付けて受信した番号「０１２３４５」に基づいて、印刷用画像要求画面のＵＲＩ「ｈｔｔｐ：／／＊＊＊／０１２３４５．ｈｔｍｌ」を生成するとともに、メーラを起動して、図４（ｃ）に示す、上記ＵＲＩを記載した電子メールの作成画面をディスプレイ３４に表示する。指定側移動体端末３０は、図４（ｃ）に示す作成画面において、宛先として印刷側移動体端末４０のメールアドレス「Ｔ０００４０＠＊＊＊」、サブジェクト「おねでとう」、および、本文「おっす。（以下略）」を受け付ける。指定側移動体端末３０は、メールサーバ６０を介して、上記電子メールを印刷側移動体端末４０に送信する（Ｓ２２０、Ｓ６４０、Ｓ３４５）。
【００３７】
さらに、指定側移動体端末３０は、上記電子メールを送信したときは、印刷用画像要求画面のＵＲＩ「ｈｔｔｐ：／／＊＊＊／０１２３４５．ｈｔｍｌ」、指定側移動体端末３０の移動体端末ＩＤ「Ｔ００３０」、印刷側移動体端末４０のメールアドレス「Ｔ０００４０＠＊＊＊」、印刷用画像「ハッピーバースデー」のＵＲＩ「＊＊＊／Ｌ／ＧＬ＿０１．ｊｐｇ」を画像送信サーバ２０の指定受付部１５０に送信する（Ｓ２２０）。
【００３８】
画像送信サーバ２０の指定受付部１５０は、印刷用画像要求画面のＵＲＩ「ｈｔｔｐ：／／＊＊＊／０１２３４５．ｈｔｍｌ」等を受信したときは、図６に示すように、印刷用画像要求画面のＵＲＩ「ｈｔｔｐ：／／＊＊＊／０１２３４５．ｈｔｍｌ」、指定側移動体端末の移動体端末ＩＤ「Ｔ００３０」、印刷側移動体端末の移動体端末ＩＤ「Ｔ０００４０」、印刷画像指定情報「＊＊＊／Ｌ／ＧＬ＿０１．ｊｐｇ」を指定情報格納部１２０に格納する（Ｓ４３０）。なお、指定受付部１５０は、上記非図示の対応表に基づいてメールアドレス「Ｔ０００４０＠＊＊＊」から移動体端末ＩＤ「Ｔ０００４０」を取得する。画像送信サーバ２０の指定受付部１５０は、さらに、指定側移動体端末３０の移動体端末ＩＤに対応付けて、所定の課金情報を課金情報格納部１３０に記録する（Ｓ４３５）。
【００３９】
一方、メールサーバ６０を介して、指定側移動体端末３０から電子メールを受信した印刷側移動体端末４０は、図４（ｄ）に示す電子メールをディスプレイ４４に表示する。印刷側移動体端末４０は、図４（ｄ）に示す電子メールにおいて、印刷用画像要求画面のＵＲＩ「ｈｔｔｐ：／／＊＊＊／０１２３４５．ｈｔｍｌ」のクリックを受け付ける。印刷側移動体端末４０は、ＵＲＩ「ｈｔｔｐ：／／＊＊＊／０１２３４５．ｈｔｍｌ」のクリックを受け付けた場合は、ＵＲＩ「ｈｔｔｐ：／／＊＊＊／０１２３４５．ｈｔｍｌ」により示される印刷用画像要求画面を、画像送信サーバ２０の画像送信部１６０に要求する（Ｓ３５０）。
【００４０】
ステップＳ３５０において印刷側移動体端末４０から、ＵＲＩ「ｈｔｔｐ：／／＊＊＊／０１２３４５．ｈｔｍｌ」により示される印刷用画像要求画面を要求された画像送信サーバ２０の画像送信部１６０は、まず、当該印刷用画像要求画面を要求した印刷側移動体端末４０の移動体端末ＩＤ「Ｔ００４０」と、ＵＲＩ「ｈｔｔｐ：／／＊＊＊／０１２３４５．ｈｔｍｌ」に対応付けて指定情報格納部１２０に格納された印刷側移動体端末の移動体端末ＩＤ「Ｔ００４０」とが一致するか否かを判断し、一致すると判断した場合に、ＵＲＩ「ｈｔｔｐ：／／＊＊＊／０１２３４５．ｈｔｍｌ」に対応付けて指定情報格納部１２０に格納された指定側移動体端末の移動体端末ＩＤ「Ｔ００３０」、および、印刷用画像指定情報「＊＊＊／Ｌ／ＧＬ＿０１．ｊｐｇ」を取得する。そして画像送信部１６０は、図４（ｅ）に示す、定形表示用画像を表示した印刷用画像要求画面を印刷側移動体端末４０に送信する（Ｓ４５５）。なお、図４（ｅ）に示す印刷用画像要求画面において、「Ａさん」は、移動体端末ＩＤ「Ｔ００３０」から取得した指定側移動体端末３０の利用者名である。また、図４（ｄ）に示す印刷用画像要求画面において、リンク「カードを印刷」に対応付けて、印刷用画像指定情報「＊＊＊／Ｌ／ＧＬ＿０１．ｊｐｇ」が設定される。
【００４１】
印刷側移動体端末４０は、図（ｅ）に示す印刷用画像要求画面において、定形表示用画像をディスプレイ４４に表示する（Ｓ３６０）。印刷側移動体端末４０は、図４（ｅ）印刷用画像要求画面において、リンク「カードを印刷」のクリックを受け付ける。印刷側移動体端末４０は、リンク「カードを印刷」のクリックを受け付けた場合は、印刷用画像指定情報「＊＊＊／Ｌ／ＧＬ＿０１．ｊｐｇ」により示される印刷用画像を、画像送信サーバ２０の画像送信部１６０に要求する（Ｓ３６５）。
【００４２】
ステップＳ３６５において印刷側移動体端末４０から、印刷用画像指定情報「＊＊＊／Ｌ／ＧＬ＿０１．ｊｐｇ」により示される印刷用画像を要求された画像送信サーバ２０の画像送信部１６０は、印刷用画像指定情報「＊＊＊／Ｌ／ＧＬ＿０１．ｊｐｇ」に対応付けて画像格納部１００に格納された印刷用画像、すなわちステップＳ２１５において指定側移動体端末３０の利用者により指定された印刷用画像を印刷側移動体端末４０に送信する（Ｓ４７０）。
【００４３】
印刷側移動体端末４０は、画像送信サーバ２０の画像送信部１６０から受信した印刷用画像をプリンタ５０で印刷する（Ｓ３７５）。印刷側移動体端末４０は、画像送信サーバ２０の画像送信部１６０に、当該印刷用画像の印刷が完了した旨を示す情報を画像送信サーバ２０の画像送信部１６０に送信する（Ｓ３８０）。
【００４４】
印刷用画像の印刷が完了した旨を示す情報を受信した画像送信サーバ２０の画像送信部１６０は、印刷完了通知部１７０に当該印刷用画像の印刷が完了した旨を示す情報を転送し、印刷完了通知部１７０は、メールサーバ６０の電子メール送信部１８０を介して、電子メールにより、印刷用画像指定情報において指定された印刷用画像の印刷が完了した旨を示す印刷完了通知を指定側移動体端末３０に送信する（Ｓ４８０、Ｓ６８５、Ｓ２８５）。
【００４５】
また、印刷用画像の印刷が完了した旨を示す情報を受信した画像送信サーバ２０の画像送信部１６０は、当該印刷用画像の印刷用画像サムネイルを印刷側移動体端末４０に送信し（Ｓ４９０）、印刷側移動体端末４０は、当該印刷用画像の印刷用画像サムネイルを保存する（Ｓ３９０）。そして本フローチャートは終了する。
【００４６】
以上、本フローチャートによれば、印刷側移動体端末４０の利用者に、定形表示画像により印刷用画像がある旨を示しつつ、印刷用画像の印刷後に、驚きを与えることができる。例えば、画像送信サーバ２０の運営者または指定側移動体端末３０の利用者が、印刷側移動体端末４０の利用者にグリーティングカードを贈る場合、印刷物であるグリーティングカードを手にする印刷側移動体端末４０の利用者に、驚きを与えることができる。
【００４７】
また、本実施例において、画像格納部１００は、図柄の異なる複数の定形表示用画像を格納し、指定受付部１５０は、指定側移動体端末３０から画像格納部１００に格納された定形表示用画像を指定する定形表示用画像指定情報をさらに受信し、画像送信部１６０は、定形表示用画像指定情報において指定された定形表示用画像を印刷側移動体端末４０に送信してもよい。例えば、画像格納部１００は、本実施例において示した「？」に加え、ハートなどの図柄の定形表示画像を格納してもよい。これにより、指定側移動体端末３０の利用者が、印刷側移動体端末４０の利用者に印刷用画像を贈る場合に、贈り主である指定側移動体端末３０の利用者に、好みの定形表示用画像を指定させることができる。
【００４８】
また、本実施例において、電子メール送信部１８０は、印刷用画像要求画面へのリンク情報を含んだ電子メールを印刷側移動体端末４０に送信するが、これに替えて、画像格納部１００に格納された一の印刷用画像を要求するリンク情報を含んだ電子メールを印刷側移動体端末４０に送信してもよい。この場合、画像送信部１６０は、当該電子メールに対応付けて定形表示用画像を印刷側移動体端末４０に送信し、当該電子メールを送信した印刷側移動体端末４０からリンク情報を介してアクセスがあった場合に、一の印刷用画像を移動体端末に送信する。これにより、印刷用画像を印刷するまでのステップ数を減らし、印刷側移動体端末４０の利用者に、定形表示画像により印刷用画像がある旨を示しつつ、印刷用画像の印刷後に、驚きを与えることができる。
【００４９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５０】
【図１】画像送信システム１０の一例を示す。
【図２】画像送信サーバ２０等のブロック図の一例を示す。
【図３】画像格納部１００に格納された情報の一例を示す。
【図４】画面格納部１１０に格納された情報等の一例を示す。
【図５】画像送信システム１０の動作の一例を示すフローチャートである。
【図６】指定情報格納部１２０に格納された情報の一例を示す。
【符号の説明】
【００５１】
１０  画像送信システム、２０  画像送信サーバ、３０  指定側移動体端末、３４  ディスプレイ、３６  操作パネル、４０  印刷側移動体端末、４４  ディスプレイ、４６  操作パネル、５０  プリンタ、６０  メールサーバ、７０  記憶媒体、１００  画像格納部、１１０  画面格納部、１２０  指定情報格納部、１３０  課金情報格納部、１５０  指定受付部、１６０  画像送信部、１７０  印刷完了通知部、１８０  電子メール送信部
【図１】
2008288979.tif 000003
【図２】
2008288979.tif 000004
【図３】
2008288979.tif 000005
【図４】
2008288979.tif 000006
【図５】
2008288979.tif 000007
【図６】
2008288979.tif 000008